(57)【要約】【課題】小型化された表示装置に搭載されるバッテリに対する電源投入時の突入電流による負荷を低減することで、バッテリを保護し、バッテリの連続使用時間の短縮化を防止することができる表示装置及び表示システムを提供する。【解決手段】表示装置２は、ブルーツース仕様の無線インターフェース１０の他に、表示パネル１１、制御部１２、バッテリ１３、電気２重層キャパシタ１４、補助光源駆動回路１５を備えている。電気２重層キャパシタ１４は、バッテリ１３に並列に接続されている。【選択図】　図１
2004015521.tif 000002
【特許請求の範囲】
【請求項１】
表示データに基づいて表示を行う表示パネルと、
上記表示データを本体ユニットから受信する受信手段と、
該受信した表示データに基づいて上記表示パネルに信号を供給するとともに、上記受信手段を制御する制御手段と、
少なくとも上記表示パネル、受信手段、制御手段に電力を供給する電力供給手段と、
該電力供給手段に並列接続されたキャパシタとを備えていることを特徴とする表示装置。
【請求項２】
上記キャパシタは、起動時に必要となる突入電流容量を蓄えることが可能であることを特徴とする請求項１に記載の表示装置。
【請求項３】
上記本体ユニットから分離して携帯可能であることを特徴とする請求項１または２に記載の表示装置。
【請求項４】
上記表示データは、無線通信手段あるいは有線通信手段を介して、上記本体ユニットから送信されることを特徴とする請求項１〜３の何れか１項に記載の表示装置。
【請求項５】
上記本体ユニットと分離して使用される場合には、無線通信手段を介して通信を行い、本体ユニットに装着して使用される場合には、無線通信手段あるいは有線通信手段を介して通信を行うことを特徴とする請求項１〜４の何れか１項に記載の表示装置。
【請求項６】
上記本体ユニットに装着して使用される際には、本体ユニットから上記電力供給手段に対する電力供給及び／または充電が行われることを特徴とする請求項１〜５の何れか１項に記載の表示装置。
【請求項７】
上記電力供給手段及びキャパシタは、上記表示パネルとは反対の面において別々の領域に実装されていることを特徴とする請求項１〜６の何れか１項に記載の表示装置。
【請求項８】
上記電力供給手段及びキャパシタは、上記表示パネルとは反対の面において、積層された状態で実装されていることを特徴とする請求項１〜６の何れか１項に記載の表示装置。
【請求項９】
上記電力供給手段は、上記表示パネルとは反対面に実装されたキャパシタの上層に実装されていることを特徴とする請求項８に記載の表示装置。
【請求項１０】
請求項１〜９の何れか１項に記載の表示装置と、
該表示装置に対して表示データを送信する本体ユニットとを備えていることを特徴とする表示システム。
【発明の詳細な説明】
【０００１】
【発明の属する技術分野】
本発明は、表示装置が本体ユニットとコンピュータである表示装置及び表示システムに関し、特に、電源投入時の立ち上げ電流による不具合の発生を防止できる表示装置及び表示システムに関するものである。
【０００２】
【従来の技術】
一般的なコンピュータのシステムは、機器使用者がデータ等を入力する操作ユニットと、データの処理、保存及び表示データの作成等を行う本体ユニットと、該表示データを表示する表示装置を備えている。
【０００３】
上記操作ユニットは、一般的にはキーボード入力、あるいは音声入力によりデータを入力する。
【０００４】
本体ユニットは、データ処理を行うＣＰＵ（Ｃｅｎｔｒａｌ　Ｐｒｏｃｅｓｓｉｎｇ　Ｕｎｉｔ）、大容量データを保存するＨＤ（Ｈａｒｄ　Ｄｉｓｋ）、データ処理に必要なメモリ、表示データを作成するグラフィックカード等を有している。
【０００５】
表示装置は、例えば、省スペース型の表示装置である場合には、液晶パネル、液晶駆動用の信号変換部、液晶バックライト及び該バックライトのインバータ等を有している。
【０００６】
近年、機器のコンパクト化が進み、ノートパソコンを初めとするモバイル型のコンピュータシステムが普及しているが、今後、更なるコンパクト化、軽量化が進み、本体ユニット、操作ユニット部及び表示装置が互いに分離された、いわゆるウェアラブルコンピュータが実用化されると思われる。
【０００７】
このウェアラブルコンピュータ等のような表示機能を有する携帯機器については、さらなる小型化を実現するために、表示機能以外の機能を有する本体ユニットについては、必ずしも表示装置と一体である必要はない。よって、表示装置と本体ユニットとを分離することができ、さらなる小型化を実現する表示システムの構成が検討されている。
【０００８】
しかし、このような分離可能な表示システムの本体ユニットは、その動作が不要であるときは低消費電力モードになる等して、消費電力をセーブする機能を有しているが、表示装置は基本的に表示を続ける限り電力を消費するため、表示機能を有する携帯機器の中でも表示装置によって消費される電力が、本体ユニットの消費電力よりも大きくなる場合もある。
【０００９】
このため、こういった本体ユニットから分離され、携帯可能な表示装置においては、連続使用時間が短いことが課題となっており、この課題に対しては、表示装置に搭載されるバッテリ自身の素材や構造を改善することで、電力容量を向上させ、対応してきた。
【００１０】
【発明が解決しようとする課題】
しかしながら、上記のような携帯可能な表示装置では、連続使用時間の延長のために、バッテリサイズを拡大し、バッテリの電気容量を増大させることは、表示装置の小型化、軽量化の要望に逆行する結果となり好ましくない。
【００１１】
また、電子機器には、一般的に、起動時に定格電流の数倍の電流（突入電流）が瞬間的に流れることが知られている。突入電流は、電子機器の起動時に数μ〜数十ｍ秒間流れるだけであるが、電子機器の電力源であるバッテリには大きな負荷がかかってしまう。これにより、バッテリの性能を１００％フルに活用できない、あるいは表示装置に搭載されるバッテリの連続使用時間がさらに短くなる等の問題を有している。
【００１２】
本発明は、上記の問題点に鑑みてなされたものであり、その目的は、小型化された表示装置に搭載されるバッテリに対する電源投入時の突入電流による負荷を低減することで、バッテリを保護し、バッテリの連続使用時間の短縮化を防止することができる表示装置及び表示システムを提供することにある。
【００１３】
【課題を解決するための手段】
本発明の表示装置は、上記の課題を解決するために、表示データに基づいて表示を行う表示パネルと、上記表示データを本体ユニットから受信する受信手段と、該受信した表示データに基づいて上記表示パネルに信号を供給するとともに、上記受信手段を制御する制御手段と、少なくとも上記表示パネル、受信手段、制御手段に電力を供給する電力供給手段と、該電力供給手段に並列接続されたキャパシタとを備えていることを特徴としている。
【００１４】
上記の構成によれば、電源投入時の突入電流に起因する表示装置に搭載されるバッテリ等の電力供給手段に対する負荷による電力供給手段の連続使用時間の短縮化を防止し、電力供給手段の性能を維持することができる。
【００１５】
すなわち、従来の表示装置においては、バッテリや燃料電池等の電力供給手段が、表示装置の立ち上げ時において発生する突入電流が大きければ大きいほどダメージを受け、使用寿命が短くなる等、その性能通りの電力供給を行うことができなくなってしまう。
【００１６】
そこで、本発明の表示装置は、電力供給手段に並列に接続したキャパシタを有しているため、キャパシタに突入電流の一部あるいは全部に相当する電荷を蓄積しておくことができ、表示装置の立ち上げ時において発生する突入電流の一部あるいは全部をキャパシタから供給することができる。つまり、突入電流として必要な電流を、キャパシタからあるいは電力供給手段とキャパシタとの双方から供給することができるため、電力供給手段のみから突入電流を供給する場合と比較して、電力供給手段にかかる負担を軽減して、電力供給手段を保護し、電力供給手段の使用寿命の短縮化等の問題の発生を抑制することができる。
【００１７】
上記キャパシタは、起動時に必要となる突入電流容量を蓄えることが可能であることがより好ましい。
【００１８】
これにより、突入電流として必要な電流を、キャパシタから供給することができるため、電力供給手段にかかる負担を軽減して、電力供給手段を保護し、電力供給手段の使用寿命の短縮化等の問題の発生を抑制することができる。
【００１９】
また、上記本体ユニットから分離して携帯可能であることがより好ましい。
【００２０】
これにより、表示装置が携帯可能なウェアラブルコンピュータのような小型化されたものであっても、バッテリ等の電力供給手段に負担をかけることなく、電力供給手段の性能をフルに発揮できるため、表示装置に搭載する電力供給手段をできる限り小型化することができる。
【００２１】
よって、表示装置全体の重量、大きさを小さくすることで、より携帯しやすい表示装置であって、かつ電力供給装置の性能をフルに発揮できる表示装置を提供することができる。
【００２２】
また、上記表示データは、無線通信手段あるいは有線通信手段を介して、上記本体ユニットから送信されることがより好ましい。
【００２３】
これにより、表示装置を本体ユニットから分離して使用することができ、特に、無線通信手段を介して表示データの送受信を行う場合には、表示装置を身につけて作業するユーザの作業性を向上させることができる。
【００２４】
上記本体ユニットと分離して使用される場合には無線通信手段を介して通信を行い、本体ユニットに装着して使用される場合には、無線通信手段あるいは有線通信手段を介して通信を行うことがより好ましい。
【００２５】
これにより、本体ユニットから分離して使用する場合には、無線通信手段を介して表示データの送受信を行うことにより、さらにユーザの作業性を向上させることができる。
【００２６】
また、上記本体ユニットに装着して使用される際には、本体ユニットから上記電力供給手段に対する電力供給及び／または充電が行われることがより好ましい。
【００２７】
これにより、表示装置を本体ユニットへ装着している状態で、本体ユニットから分離して使用する際に必要な電力を表示装置に対して供給することができる。よって、本体ユニットから分離した状態で表示装置を使用する場合には、常に充電された状態で使用することができる。
【００２８】
また、上記電力供給手段及びキャパシタは、上記表示パネルとは反対の面において別々の領域に実装されていることがより好ましい。
【００２９】
これにより、表示装置に必要な電力供給装置及びキャパシタを積層して搭載する場合と比較して、表示装置をより薄型化することができる。
【００３０】
また、上記電力供給手段及びキャパシタは、上記表示パネルとは反対の面において、積層された状態で実装されていることがより好ましい。
【００３１】
これにより、表示装置に必要な電力供給装置及びキャパシタを積層して搭載することで、キャパシタの面積を最大で表示装置の大きさまで拡大することができ、比較的大きい突入電流にも対応可能なキャパシタを表示装置に搭載することができる。
【００３２】
さらに、上記電力供給手段は、上記表示パネルとは反対面に実装されたキャパシタの上層に実装されていることがより好ましい。
【００３３】
これにより、キャパシタが、電源供給手段と表示パネルを含むその他の部分との間に介在することになり、表示装置が起動時に必要とする突入電流をキャパシタから供給するために最適な実装レイアウトにすることができる。
【００３４】
本発明の表示システムは、上記の課題を解決するために、上記表示装置と、該表示装置に対して表示データを送信する本体ユニットとを備えていることを特徴としている。
【００３５】
上記の構成によれば、電源投入時の立ち上げ電流による、電力供給手段の使用寿命の短縮化等の不具合の発生を防止できる携帯可能な表示装置を備えた表示システムを提供することができる。
【００３６】
【発明の実施の形態】
本発明の表示装置及び表示システムに係る一実施形態について図１〜図８に基づいて説明すれば、以下の通りである。
【００３７】
本実施形態の表示システムは、図２に示すように、本体ユニット１と表示装置２とを備えており、両者間のデータの送受信は無線通信を介して行われる。本表示システムの基本的な動作として、表示装置２に表示される表示データが、本体ユニット１から表示装置２に無線伝送される。
【００３８】
本体ユニット１は、例えば、Ｂｌｕｅｔｏｏｔｈ（以下、ブルーツース（登録商標）と示す）仕様の無線インターフェース（無線通信手段）３を備えた、例えば、ノートＰＣ、ハンドヘルドＰＣ、ポケットＰＣ、携帯情報端末等である。
【００３９】
なお、ブルーツース（登録商標）は、広く普及しつつある携帯情報機器向けの無線通信技術であって、２．４ＧＨｚ帯の電波を利用した初期バージョンの場合には、機器間の距離が１０ｍ以内であれば１Ｍｂｐｓの速度で通信を行うことができる。実効的には、非対称伝送時に下り方向が７２１ｋｂｐｓ、上り方向が５７．６ｋｂｐｓであり、低コストかつコンパクトな回路構成が可能であることを特長とする無線通信手段の一種である。
【００４０】
本体ユニット１が備えている無線インターフェース３は、通常時には、待機状態となり、無線インターフェース３を介して、本体ユニット１に要求情報が送信されると、本体ユニット１は、無線インターフェース３を介して表示装置２に表示データを送信する。
【００４１】
例えば、表示装置２の電源がオンされた時に、表示装置２から本体ユニット１へ上記要求情報が送信され、該要求情報により本体ユニット１から表示装置２へ表示データを送信してもよい。また、本体ユニット１の電源がオンされた時に、本体ユニット１が自ら要求情報を発生させ、本体ユニット１から表示装置２へ表示データを送信してもよい。
【００４２】
逆に、無線インターフェース３を介して、本体ユニット１に解除信号が送られた場合には、本体ユニット１は、表示装置２への表示データの送信を停止する。
【００４３】
この表示データのデータ形式は、通常の時系列の画像データであっても、また、ＨＴＭＬ（Ｈｙｐｅｒ　Ｔｅｘｔ　Ｍａｒｋｕｐ　Ｌａｎｇｕａｇｅ）やＸＭＬ（Ｅｘｔｅｎｓｉｂｌｅ　Ｍａｒｋｕｐ　Ｌａｎｇｕａｇｅ）等の形式であってもよい。
【００４４】
なお、本体ユニット１は、前述した従来の機器のように、必ずしも本体ユニット１内に表示機能を備えている必要はなく、表示機能を別体の機器とすることによって、本体ユニット１の大幅なコンパクト化を図ることが可能である。これにより、本体ユニット１を、アタッシュケース、かばん、ポーチ等の携帯品や、日常よく接する家具や移動手段である自動車等に組み込むことが可能になる。
【００４５】
本実施形態の表示装置２は、画素数が比較的少ないＴＦＴ型液晶表示装置であって、フレームメモリを備えていない。よって、通常の表示装置と同様に、本体ユニット１から表示装置２に対して一定周期で表示データを送信する必要がある。なお、表示装置２に用いられる表示デバイスが、強誘電液晶のようにメモリ機能を有している場合には、上述のように一定周期で表示信号を送信する必要はない。また、表示装置２は、腕時計型、ペンダント型、ＨＭＤ（Ｈｅａｄ　Ｍｏｕｎｔ　Ｄｉｓｐｌａｙ）型等の形状にすることにより装着し易くすることができる。
【００４６】
ここで、表示装置２の構成と動作について説明する。
【００４７】
表示装置２は、図３に示すように、ブルーツース（登録商標）仕様の無線インターフェース（無線通信手段）１０の他に、表示パネル１１、制御部１２、バッテリ（電力供給手段）１３、電気２重層キャパシタ１４、補助光源駆動回路１５を備えている。このように、表示装置２の構成は極めて簡素化されており、表示装置２の寸法及び重量は、主に表示パネル１１及びバッテリ１３の寸法及び重量によって定まる。
【００４８】
無線インターフェース１０は、表示装置２が、本体ユニット１から送信される表示データを表示する機能だけを備えている場合には、受信機能を有する受信部のみで構成されていてもよい。これにより、無線インターフェース１０の構成を簡略化することができ、表示装置２をより小型化することができる。
【００４９】
表示パネル１１は、画面サイズが２型、画素構成が１６０×ＲＧＢ×１２０画素で１６階調の反射型ＴＦＴ液晶パネルである。この反射型ＴＦＴ液晶パネルの構造は、従来のパネル構造と同様の構造であり、ガラス基板ないしプラスチック基板で液晶層を挟み込んで、一方の基板上に画素アレイが形成されている。なお、表示パネル１１は、直視型だけでなく、ＨＭＤの様な眼鏡型ディスプレイの場合にも適応できる。
【００５０】
この画素アレイは、図６に示すように、信号線駆動回路及び走査線駆動回路によって駆動される。特に、低温プロセス多結晶シリコンＴＦＴのような高駆動力を持つ素子で画素アレイを形成する場合には、上記信号線駆動回路及び走査線駆動回路を同一プロセスで一体形成することができる。
【００５１】
また、反射型ＴＦＴ液晶パネルを、６０Ｈｚの垂直周波数で駆動するためには、約１３Ｍｂｐｓの転送速度が必要となる。
【００５２】
そこで、本願出願人による特願２００１−９４０３４号（特開２００２−１４３２１号公報、公開日：２００２年１月１８日）に示す低周波数駆動方法により、例えば、垂直周波数を１／２５にすれば、転送速度を約０．５Ｍｂｐｓに抑えることができる。従って、表示装置２は、時系列の画像データを送信する場合であっても、ブルーツース（登録商標）仕様の転送速度による表示が可能になる。
【００５３】
制御部１２は、ディスプレイコントローラとしての機能と無線インターフェースの制御機能とを有しており、基本的な動作として、無線インターフェース１０で受信された表示データを表示可能な形のデータに展開した後、表示パネル１１に表示している。この制御部１２による処理は、全てデジタル処理であり、途中の処理過程で必要なメモリと合わせて、１チップにＬＳＩ化することができる。
【００５４】
以上のように、本体ユニット１から送信される表示データが、既に表示パネル１１に表示できるフォーマットに形式変換されている場合には、制御部１２はその送信されてくる表示データをそのまま表示パネル１１に送信すればよい。さらに、本体ユニット１から表示パネル１１の作動タイミングを決める信号についても、表示データと共に送信することで、上記制御部１２の動作をより簡素化できる。
【００５５】
また、無線インターフェース１０が、通信機能を有する受信部のみで構成されている場合には、制御部１２は無線インターフェース１０を制御する際に、複雑な動作を行う必要が無くなり、本体ユニット１から送信された表示データのタイミング合わせを行うだけでよい。これにより、制御部１２は、非常に簡素な構成となって、表示装置２の小型化、軽量化を実現でき、表示装置２を装着した使用者の作業効率を向上させることができる。
【００５６】
バッテリ１３は、無線インターフェース１０、表示パネル１１、制御部１２等の表示装置２の各部に必要な電源を供給する。
【００５７】
バッテリ１３の重量と持続時間は、トレードオフの関係にあるため、使用目的に応じて、適切なバッテリ容量を選択する必要がある。
【００５８】
ここで、図４及び図５を用いて、上記本体ユニット１と表示装置２とのデータのやり取りについて説明すれば、以下の通りである。
【００５９】
表示装置２は、図４に示すように、電源スイッチがオンされると、先ず、表示装置２が電源オン状態になった後、無線インターフェース１０を介して、要求信号を本体ユニット１に送信し、それに対応する表示データを本体ユニット１から受信する。逆に、表示装置２の電源スイッチがオフされると、無線インターフェース１０を介して、送信信号が無用になることを示す解除信号を本体ユニット１に送信した後、表示装置２を電源オフ状態にする。なお、図４では、ブルーツース固有の仕様に基づくモード設定の手続きについては省略している。
【００６０】
このような要求／解除信号の生成の手順は、パワーオンシーケンス及びパワーオフシーケンスとして、図３に示す制御部１２に組み込まれている。
【００６１】
また、本実施形態の表示システムでは、表示装置２が表示を行う場合には、表示装置２からの要求信号に対応して、本体ユニット１から表示データが表示装置２に送信されるものであるが、この表示データは、表示装置２において、無線インターフェース１０を介して制御部１２で解読され、表示パネル１１に表示可能な形のデータとして展開された後、表示のタイミングに併せて表示パネル１１に表示される。
【００６２】
なお、表示装置２における電源オン／オフ時の要求／解除信号の送信方法については、上記のような方法に限定されるものではない。例えば、図５に示すように、表示装置２の電源オン期間中は、一定周期で要求信号を送信するような方法を採用してもよい。この場合、本体ユニット１は、一定期間内に要求信号を受信した場合には、表示装置２へ表示データを送信し続け、一定期間以上経っても要求信号を受信しない場合には、表示データの送信を停止する。
【００６３】
さらに、本体ユニット１が、上記要求／解除信号を発生させ、または該要求／解除信号に関係なく表示データを表示装置２へ無線インターフェース３を介して送信し続けてもよい。この場合、本体ユニット１の無線インターフェース３は、送信機能を持つ送信部のみで、表示装置２の無線インターフェース１０は、受信機能を持つ受信部のみでそれぞれ構成することができるため、各機器をより小型化することができる。
【００６４】
また、本実施形態の表示システムでは、本体ユニット１から表示装置２へ送信され、表示パネル１１に表示される表示データの形式は、データフォーマット変換等の特殊な作業を必要としない程度に、本体ユニット１において処理されている。これにより、表示装置２の制御部１２は、送信された表示データをそのまま表示パネル１１に送信するか、あるいは切り替えるだけでよい。よって、制御部１２には、特殊な演算回路が不要となり、制御部１２の簡素化が図れ、表示装置２の小型化及び軽量化を実現できる。
【００６５】
また、本実施形態の表示システムのように、図３に示すような補助光源駆動回路１５を備えている場合には、突入電流をできる限り小さくするために、表示装置２への電源投入シーケンスは、図４及び図５に示すようになる。
【００６６】
すなわち、図４及び図５に示すように、表示データに基づいて表示パネル１１に表示データを送信した後、補助光源駆動回路１５の電源を投入して補助光源を駆動する。このように、本体ユニット１から表示装置２への表示データの入力タイミングをずらすことで、突入電流をできる限り小さくすることができ、各装置の起動時に突入電流によるバッテリ１３に対する負荷を低減することができる。よって、突入電流に相当する電荷を蓄えるキャパシタの容量も小さくて済み、携帯可能な表示装置２をさらに小型化することができる。
【００６７】
さらに、本実施形態の表示システムでは、上記無線インターフェース１０が、送信及び受信機能をそれぞれ有する送信部及び受信部を備えており、上記表示データを受信すると共に表示パネル１１に表示されるデータの状態を制御部１２で判断し、その判断した結果を無線インターフェース１０を介して、本体ユニット１にフィードバックしている。これにより、本体ユニット１から送信される表示データの伝送速度が表示パネルに表示される速度より早い場合には、本体ユニット１からの送信を一時中止したり、逆に中止を解除したりし、表示状態を最適に保つことができる。
【００６８】
ここでさらに、一般的に、電子機器の起動時に発生する突入電流とバッテリ１３との関係について説明する。
【００６９】
本実施形態の表示装置２は、図１に示すように、バッテリ１３の出力段に、表示装置２の起動時に必要な突入電流分の電荷を蓄えることが可能な電気２重層キャパシタ１４が並列接続されている。電気２重層キャパシタ１４は、電解コンデンサと比較して、電気容量を１００倍以上、放電時間を１０００倍以上にすることが可能な優れた特性を示すキャパシタであって、グラム当り数千平方メートル程の構造を持つ活性炭を電極として用いることにより、数百〜数千Ｆのきわめて大きな容量を得ることができる。
【００７０】
このように、バッテリ１３とその他の負荷との間に電気２重層キャパシタ１４を搭載することで、突入電流に起因するバッテリ１３に対する悪影響を最小限に抑えることができ、その結果、バッテリ１３に対する負荷を軽減し、使用寿命の短縮化等の問題の発生を防止することが可能となる。
【００７１】
次に、表示装置２におけるバッテリ１３及び電気２重層キャパシタ１４の配置位置について説明する。バッテリ１３及び電気２重層キャパシタ１４は、スペースの有効活用の面から、図７及び図８に示すように、表示装置２の表示パネル１１側以外の場所に実装されることがより望ましい。
【００７２】
例えば、バッテリ１３及び電気２重層キャパシタ１４は、図７に示すように、表示装置２における表示パネル１１側の反対の面に別々に実装されていてもよい。これにより、薄型の表示装置２を提供することができる。
【００７３】
また、図８に示すように、表示パネル１１側の反対の面に、バッテリ１３と電気２重層キャパシタ１４とが積層された状態で実装されていてもよい。この構成は、電気２重層キャパシタ１４を大きくすることができることから、比較的大きい突入電流に対応することが可能である。なお、バッテリ１３と電気２重層キャパシタ１４との積層順序はどちらが先であってもよい。
【００７４】
さらに、図示していないが、図３に示す表示パネル１１以外の無線インターフェース１０及び制御部１２についても同様に、表示装置２の表示パネル１１とは反対の面側に配置されていることが、スペースの有効活用の面からより望ましい。
【００７５】
さらに、上記表示パネルの反対の面へ、上記電気２重層キャパシタ１４を実装し、さらにその上層にバッテリ１３を実装することがより望ましい。これにより、電気２重層キャパシタ１４が、バッテリ１３と表示パネル１１を含むその他の部分との間に介在することになり、表示装置２が起動時に必要とする突入電流をキャパシタ１４から供給するために最適な実装レイアウトとなる。
【００７６】
なお、図３及び図７、図８に示す表示装置２では、バッテリ１３の性能低下を防止するために、電気２重層キャパシタ１４を搭載した表示装置２を例に挙げて説明したが、本発明はこれに限定されるものではなく、電気２重層キャパシタ１４の代替となり得るもので同様の効果が得られるのであれば、他の材料からなるキャパシタであってもよい。
【００７７】
また、本実施形態では、本体ユニット１及び表示装置２が、ブルーツース仕様の無線インターフェース１０を備えている例を挙げて説明したが、本発明はこれに限定されるものではなく、他の無線インターフェースを用いてもよい。より高速な無線インターフェースを採用した場合には、大容量の表示を容易に行うことができる。また、例えば、無線通信手段ではなく、有線通信手段を使用することも可能である。
【００７８】
さらに、本実施形態では、画面サイズが２型で画素構成が１６０×ＲＧＢ×１２０画素の場合を例にとって説明したが、先に述べたように表示パネル１１は、表示装置２全体の寸法及び重量を大きく左右するファクタであり、使用目的に応じて最適な画面サイズ及び表示画素数を設定すればよい。
【００７９】
また、本実施形態の表示システムにおいて、本体ユニット１と表示装置２とは着脱可能であるが、表示装置２が本体ユニット１に装着されているときには、本体ユニット１と表示装置２とは、無線通信手段を介して通信を行う必要はない。よって、この場合には、有線通信手段によって通信を行ってもよい。
【００８０】
また、有線通信手段にて本体ユニット１の図示しないバッテリによって、表示装置２のバッテリ１３に対して電源供給及び／または充電を行うことも可能である。これにより、表示装置２を本体ユニット１へ装着している状態で、本体ユニット１から分離して使用する際に必要な電力を表示装置２に供給することができる。
【００８１】
また、表示パネル１１として使用されるデバイスは、低消費電力型のものであることが好ましいが、本実施形態のような液晶表示パネルに限定されるものではない。例えば、自発光型のＥＬパネルであってもよいし、表示デバイス自身にメモリ機能を有し、定期的な画面のリフレッシュが不要な強誘電液晶であってもよい。
【００８２】
【発明の効果】
本発明の表示装置は、以上のように、表示データに基づいて表示を行う表示パネルと、上記表示データを本体ユニットから受信する受信手段と、該受信した表示データに基づいて上記表示パネルに信号を供給するとともに、上記受信手段を制御する制御手段と、少なくとも上記表示パネル、受信手段、制御手段に電力を供給する電力供給手段と、該電力供給手段に並列接続されたキャパシタとを備えている構成である。
【００８３】
それゆえ、電源投入時の突入電流に起因する表示装置に搭載されるバッテリ等の電力供給手段に対する負荷による電力供給手段の連続使用時間の短縮化を防止し、電力供給手段の性能を維持することができるという効果を奏する。
【００８４】
上記キャパシタは、起動時に必要となる突入電流容量を蓄えることが可能であることがより好ましい。
【００８５】
それゆえ、突入電流として必要な電流を、キャパシタから供給することができるため、電力供給手段にかかる負担を軽減して、電力供給手段を保護し、電力供給手段の使用寿命の短縮化等の問題の発生を抑制することができるという効果を奏する。
【００８６】
また、上記本体ユニットから分離して携帯可能であることがより好ましい。
【００８７】
それゆえ、表示装置が携帯可能なウェアラブルコンピュータのような小型化されたものであっても、バッテリ等の電力供給手段に負担をかけることなく、電力供給手段の性能をフルに発揮できるため、表示装置に搭載する電力供給手段をできる限り小型化することができるという効果を奏する。
【００８８】
また、上記表示データは、無線通信手段あるいは有線通信手段を介して、上記本体ユニットから送信されることがより好ましい。
【００８９】
それゆえ、表示装置を本体ユニットから分離して使用することができ、特に、無線通信手段を介して表示データの送受信を行う場合には、表示装置を身につけて作業するユーザの作業性を向上させることができるという効果を奏する。
【００９０】
上記本体ユニットと分離して使用される場合には無線通信手段を介して通信を行い、本体ユニットに装着して使用される場合には、無線通信手段あるいは有線通信手段を介して通信を行うことがより好ましい。
【００９１】
それゆえ、本体ユニットから分離して使用する場合には、無線通信手段を介して表示データの送受信を行うことにより、さらにユーザの作業性を向上させることができるという効果を奏する。
【００９２】
また、上記本体ユニットに装着して使用される際には、本体ユニットから上記電力供給手段に対する電力供給及び／または充電が行われることがより好ましい。
【００９３】
それゆえ、表示装置を本体ユニットへ装着している状態で、本体ユニットから分離して使用する際に必要な電力を表示装置に対して供給することができる。よって、本体ユニットから分離した状態で表示装置を使用する場合には、常に充電された状態で使用することができるという効果を奏する。
【００９４】
また、上記電力供給手段及びキャパシタは、上記表示パネルとは反対の面において別々の領域に実装されていることがより好ましい。
【００９５】
それゆえ、表示装置に必要な電力供給装置及びキャパシタを積層して搭載する場合と比較して、表示装置をより薄型化することができるという効果を奏する。
【００９６】
また、上記電力供給手段及びキャパシタは、上記表示パネルとは反対の面において、積層された状態で実装されていることがより好ましい。
【００９７】
それゆえ、表示装置に必要な電力供給装置及びキャパシタを積層して搭載することで、キャパシタの面積を最大で表示装置の大きさまで拡大することができ、比較的大きい突入電流にも対応可能なキャパシタを表示装置に搭載することができるという効果を奏する。
【００９８】
さらに、上記電力供給手段は、上記表示パネルとは反対面に実装されたキャパシタの上層に実装されていることがより好ましい。
【００９９】
それゆえ、キャパシタが、電源供給手段と表示パネルを含むその他の部分との間に介在することになり、表示装置が起動時に必要とする突入電流をキャパシタから供給するために最適な実装レイアウトにすることができるという効果を奏する。
【０１００】
本発明の表示システムは、以上のように、上記表示装置と、該表示装置に対して表示データを送信する本体ユニットとを備えている構成である。
【０１０１】
それゆえ、電源投入時の立ち上げ電流による、電力供給手段の使用寿命の短縮化等の不具合の発生を防止できる携帯可能な表示装置を備えた表示システムを提供することができるという効果を奏する。
【図面の簡単な説明】
【図１】本発明の一実施形態に係る表示装置に搭載されたバッテリ１３と電気２重層キャパシタ１４との接続図である。
【図２】本発明の一実施形態に係る表示システムを示すブロック図である。
【図３】図２の表示システムの表示装置を示すブロック図である。
【図４】図３の表示装置の送受信の一例を示すタイミング図である。
【図５】図３の表示装置の送受信の他の例を示すタイミング図である。
【図６】図３の表示装置の表示パネルを示すブロック図である。
【図７】図３の表示装置におけるバッテリ及びキャパシタの実装状態を示す斜視図である。
【図８】図３の表示装置におけるバッテリ及びキャパシタの他の実装状態を示す斜視図である。
【符号の説明】
１　　　本体ユニット
２　　　表示装置
３　　　無線インターフェース（無線通信手段）
１０　　　無線インターフェース（無線通信手段）
１１　　　表示パネル
１２　　　制御部
１３　　　バッテリ（電力供給手段）
１４　　　電気２重層キャパシタ（キャパシタ）
１５　　　補助光源駆動回路
【図１】
2004015521.tif 000003
【図２】
2004015521.tif 000004
【図３】
2004015521.tif 000005
【図４】
2004015521.tif 000006
【図５】
2004015521.tif 000007
【図６】
2004015521.tif 000008
【図７】
2004015521.tif 000009
【図８】
2004015521.tif 000010